(57)【要約】【課題】  鉄筋コンクリート外断熱建物に対し、鉄筋コンクリートバルコニーや鉄筋コンクリート袖壁を、熱橋作用を抑制して、且つ、コンクリート躯体に対して、二次構造物として自在に突出付設する。【解決手段】  複合パネル２でコンクリート外壁Ｗを外断熱被覆し、鉄筋コンクリート袖壁５や鉄筋コンクリートバルコニー床スラブＳＢを、断熱層３Ｂ（４Ｂ）に支持用Ｚ筋１を貫通保持した断熱支持パネル３（４）によって、コンクリート外壁Ｗと熱遮断してＺ筋１群のみによって片持ち支持する。【選択図】    図１
2007285086.tif 000002
【特許請求の範囲】
【請求項１】
鉄筋コンクリート造外断熱建物のコンクリート外壁（Ｗ）から、鉄筋コンクリートのバルコニー床スラブ（ＳＢ）、及び鉄筋コンクリートの袖壁（５）を、片持ち支持形態で突出付設した外壁構造であって、外壁（Ｗ）は、断熱層（２Ｂ）と外装下地材（２Ａ）とを層着した複合パネル（２）によって外断熱被覆し、バルコニー床スラブ（ＳＢ）は、基端（Ｂｂ）全面を横長の断熱層（４Ｂ）で外壁表面（Ｗｆ）と熱的に遮断すると共に、断熱層（４Ｂ）を貫通するＺ筋（１）の一半の突出部（ＡＰ）をコンクリート躯体（ＣＦ）内に、他半の突出部（ＢＰ）をバルコニー床スラブ（ＳＢ）内に固定して片持ち支持し、袖壁（５）は、基端（５ｂ）全面を縦長の断熱層（３Ｂ）で外壁表面（Ｗｆ）と熱的に遮断すると共に、断熱層（３Ｂ）を貫通するＺ筋（１）の一半の突出部（ＡＰ）をコンクリート躯体（ＣＦ）内に、他半の突出部（ＢＰ）を袖壁（５）内に固定して片持ち支持した、鉄筋コンクリート造外断熱建物の外壁構造。
【請求項２】
Ｚ筋（１）は、Ｚ上端筋（１Ｕ）とＺ下端筋（１Ｄ）とを、水平上辺部（１Ｕ´）、中間傾斜部（１Ｓ）及び水平下辺部（１Ｄ´）から成るＺトラス筋（１Ｍ）で、上下方向に応力中心距離（Ｌ１５）を保って一体化固着したものである、請求項１の外壁構造。
【請求項３】
バルコニー床スラブ（ＳＢ）を熱遮断する断熱層（４Ｂ）、及び袖壁（５）を熱遮断する断熱層（３Ｂ）が、共に、複合パネル（２）の断熱層（２Ｂ）と同一材料で、且つ、同一厚さである、請求項１又は２の外壁構造。
【請求項４】
バルコニー床スラブ（ＳＢ）の長辺方向上端筋（９Ａ）が袖壁（５）内に延びている、請求項１乃至３のいずれか１項の外壁構造。
【請求項５】
Ｚ筋（１）の中間傾斜部（１Ｓ）が、断熱層（３Ｂ，４Ｂ）内で、厚さ（ＴＢ）全域に亘って傾斜配置して、断熱層（３Ｂ，４Ｂ）に剛構造機能を付与している、請求項２、又は３、又は４の外壁構造。
【請求項６】
Ｚ筋（１）は、コンクリート躯体（ＣＦ）内固着用の突出部（ＡＰ）が屈曲してコンクリート躯体（ＣＦ）内で固定されている、請求項１乃至５のいずれか１項の外壁構造。
【請求項７】
複合パネル（２）が、コンクリート外壁（Ｗ）より透湿抵抗の小さな発泡プラスチック系断熱層（２Ｂ）と、該断熱層（２Ｂ）より透湿抵抗の小さな外装下地材（２Ａ）とを層着一体化したパネルである、請求項１乃至６のいずれか１項の外壁構造。
【請求項８】
横長形態の発泡プラスチック系断熱層（４Ｂ）にＺ筋（１）を貫通保持した、バルコニー床スラブ（ＳＢ）を片持ち支持するための断熱支持パネル（４）であって、断熱層（４Ｂ）は、上下方向に長孔形態の挿入用孔（Ｈ１）を備えて、厚さ（ＴＢ）が、コンクリート壁（Ｗ）を外断熱被覆する複合パネル（２）の断熱層（２Ｂ）と同厚であり、高さ（４ｈ）が、少なくとも、片持ち支持するバルコニー床スラブ（ＳＢ）の基端（Ｂｂ）の厚さ（ＴＳ）であり、Ｚ筋（１）は、Ｚ上端筋（１Ｕ）とＺ下端筋（１Ｄ）とを、水平上辺部（１Ｕ´）、中間傾斜部（１Ｓ）及び水平下辺部（１Ｄ´）から成るＺトラス筋（１Ｍ）で、上下に、応力中心距離（Ｌ１５）を保って一体化したものであり、断熱層（４Ｂ）の挿入用孔（Ｈ１）から突出するＺ筋（１）の、一半の突出部（ＡＰ）をコンクリート躯体（ＣＦ）内への固定部とし、他半の突出部（ＢＰ）をバルコニー床スラブ（ＳＢ）内への固定部とした、バルコニー床スラブ支持用断熱支持パネル。
【請求項９】
断熱層（４Ｂ）の上面、下面、及び左右両側面の幅中央に、スリット溝（４Ｇ）を配置した、請求項８の断熱支持パネル。
【請求項１０】
縦長形態の発泡プラスチック系断熱層（３Ｂ）にＺ筋（１）を貫通保持した、コンクリート袖壁（５）を片持ち支持するための断熱支持パネル（３）であって、断熱層（３Ｂ）は、上下方向に長孔形態の挿入用孔（Ｈ１）を備え、厚さ（ＴＢ）が、コンクリート壁（Ｗ）を外断熱被覆する複合パネル（２）の断熱層（２Ｂ）と同厚であり、左右幅（Ｗ３）が、片持ち支持する袖壁（５）の壁厚（Ｔ５）と、少なくとも同寸であり、Ｚ筋（１）は、Ｚ上端筋（１Ｕ）とＺ下端筋（１Ｄ）とを、水平上辺部（１Ｕ´）、中間傾斜部（１Ｓ）及び水平下辺部（１Ｄ´）から成るＺトラス筋（１Ｍ）で、上下に、応力中心距離（Ｌ１５）を保って一体化したものであり、断熱層（３Ｂ）の挿入用孔（Ｈ１）から突出するＺ筋（１）の、一半の突出部（ＡＰ）をコンクリート躯体（ＣＦ）内への固着部とし、他半の突出部（ＢＰ）をコンクリート袖壁（５）内への固着部とした、コンクリート袖壁支持用断熱支持パネル。
【請求項１１】
断熱層（３Ｂ）の両側面の幅中央に、スリット溝（３Ｇ）を配置した、請求項１０の断熱支持パネル。
【請求項１２】
Ｚ筋（１）は、断熱層（３Ｂ，４Ｂ）の上下方向長孔形態の挿入用孔（Ｈ１）を貫通し、挿入用孔（Ｈ１）内では、断熱耐火材（３Ｅ）でＺ筋（１）を充填被覆保持した、請求項８乃至１１のいずれか１項の断熱支持パネル。
【請求項１３】
挿入用孔（Ｈ１）の一側外面を、上下にＺ筋挿入用円孔（Ｈ２，Ｈ２´，Ｈ３）を備えた座板（７）で貼着閉止した、請求項８乃至１２のいずれか１項の断熱支持パネル。
【請求項１４】
Ｚ筋（１）は、Ｚトラス筋（１Ｍ）の中間傾斜部（１Ｓ）が、外方から内方へと降下する４５°傾斜であり、中間傾斜部（１Ｓ）を断熱層（３Ｂ，４Ｂ）の厚さ（ＴＢ）全域に介在して、断熱層（３Ｂ，４Ｂ）に剛構造機能を付与した、請求項８乃至１３のいずれか１項の断熱支持パネル。
【請求項１５】
Ｚ筋（１）は、断熱層（３Ｂ，４Ｂ）内の部位には、耐火塗料（１Ａ）を塗布し、突出部（ＡＰ，ＢＰ）の部位には、断熱性錆止め塗料（１Ｂ）を塗布した、請求項８乃至１４のいずれか１項の断熱支持パネル。
【請求項１６】
Ｚ筋（１）の突出部（ＡＰ）が、コンクリート躯体（ＣＦ）内固着用に、実質上９０°折曲している、請求項８乃至１５のいずれか１項の断熱支持パネル。
【発明の詳細な説明】
【技術分野】
【０００１】
本発明は、鉄筋コンクリート造外断熱建物に、バルコニー、庇、外廊下など（以下、本明細書中ではバルコニーと称する）と、バルコニー袖壁、ポーチ袖壁、外壁から突出する化粧壁など（以下、本明細書中では袖壁と称する）とを、コンクリート躯体の外壁に片持ち形式で構築した外壁構造と、これら、バルコニー、及び袖壁を構築するための支持鉄筋を備えた断熱支持パネルとに関するものであり、建築の技術分野に属するものである。
【背景技術】
【０００２】
鉄筋コンクリート造の外断熱建物は、コンクリート躯体の外面を断熱層で被覆するため、太陽日射のコンクリート躯体への熱応力が微小となって、コンクリート躯体のひび割れが抑制出来ること、コンクリート躯体が空気に接触しないために、コンクリートの中性化が抑制出来、鉄筋棒鋼の腐蝕が防止出来て建物の耐久性が向上すること、更には、建物内の温度環境が好適に維持出来ると共に、結露が少なくて、カビ、ダニの発生が抑制出来、健康面でも優れた住環境が提供出来るため、高性能の耐久性建物として評価されている。
【０００３】
しかし、建物外壁より、鉄筋コンクリートバルコニー、及び鉄筋コンクリート袖壁を突出形成する外断熱建物にあっては、鉄筋コンクリートバルコニー床スラブ及び鉄筋コンクリート袖壁が建物躯体内部への熱橋となるため、外断熱鉄筋コンクリート建物にあって、鉄筋コンクリートバルコニーの床スラブや、鉄筋コンクリート袖壁からのコンクリート躯体への熱橋作用の抑制は、強く望まれており、該問題の解決手段としては、既に、バルコニー床スラブの熱橋低減手段としては、図８に示す従来例１が、コンクリート袖壁の熱橋低減手段としては、図９に示す工法が提案されている。
【０００４】
図８に示す従来例１は、特許文献１中で従来例１として挙げられたものであって、図８（Ａ）はバルコニー側面図であり、図８（Ｂ）は使用する支持鉄筋ユニットの側面図、図８（Ｃ）は鉄筋ユニットの平面図である。
従来例１（図８）のバルコニー床スラブに於ける熱橋抑制手段は、図８（Ｂ），（Ｃ）に示す如く、断熱材上部に多数の長尺連結鉄筋群を串刺し状態で並列配置すると共に、断熱材下部には圧縮用鉄筋群を配置し、各圧縮用鉄筋の両端の支圧板を断熱材から突出させると共に、各ラチス筋を圧縮用鉄筋の近傍に配置して、ラチス筋の両側延長部を断熱材上部の長尺連結鉄筋間に並列延出した熱橋低減ユニットを、図８（Ａ）に示す如く、バルコニー用型枠と住戸躯体用型枠とに差渡し状に配置して、コンクリート打設によりコンクリートバルコニーを熱橋低減用鉄筋ユニットで支持するものである。
【０００５】
また、図９は、コンクリート袖壁からの熱橋抑制手段であって、非特許文献に挙げられたものであり、図９（Ａ）は、従来例２の横断面図、図９（Ｂ）は従来例３の横断面図、図９（Ｃ）は、従来例２，３に共通する基礎部の説明図である。
即ち、図９（Ａ）の従来例２にあっては、コンクリート袖壁の全外周を、コンクリート外壁同様に、断熱被覆用の複合パネルで被覆するものであり、図９（Ｂ）の従来例３にあっては、コンクリート外壁は複合パネルで断熱被覆するが、コンクリート外壁から突出した袖壁は、外断熱被覆することなく、コンクリート躯体内側、即ち、外壁の内側の、コンクリート袖壁からの熱橋作用を受ける部位に断熱材を貼着して、断熱機能を補強するものである。
【特許文献１】特開２００５−１８８０３６号公報
【非特許文献１】北海道外断熱協議会発行「２００３年版、ＲＣ造外断熱工法ハンドブック、第４０〜４７頁：熱損失係数の計算」の項
【発明の開示】
【発明が解決しようとする課題】
【０００６】
従来例１の鉄筋コンクリートバルコニーの構築にあっては、断熱材に多くの連続鉄筋、圧縮鉄筋を並列配置しているため、熱橋低減用鉄筋ユニットが嵩張る複雑な形状であって、効率的な運搬及び保管が出来ない。
また、バルコニー等の跳ね出し部は、大きさ、及び形状も様々であって、対応する鉄筋ユニットの準備が困難である。
しかも、型枠組み時には、住戸躯体側に配筋された鉄筋が邪魔になって、熱橋低減用鉄筋ユニットの配置、及び配筋固定が困難であり、バルコニー型枠及び住戸躯体型枠内での配筋組立てが困難、且つ煩雑な作業となる。
また、バルコニー床スラブと住戸躯体との境界面に熱橋低減用鉄筋ユニットを配置し、コンクリート躯体構築後に、コンクリート外壁に断熱材を張着する後貼り工法の外断熱建物となるため、汎用性が無い。
【０００７】
また、従来例２の、鉄筋コンクリート袖壁の構築手段にあっては、図９（Ａ）に示す如く、袖壁の両側面、及び先端面、即ち、袖壁の全外周面を複合パネルで被覆するため、袖壁は外壁同様の外断熱構造とはなるが、袖壁の厚さが大きくなる欠陥があり、複合パネルの、袖壁の形態に対応した貼着、特に、先端面の貼着、の作業性が悪く、複合パネルの貼着施工によってコスト高となる。
また、従来例３の、鉄筋コンクリート袖壁の構築手段にあっては、図９（Ｂ）に示す如く、袖壁は、複合パネルで被覆しないために、厚さが薄く出来るが、袖壁の熱橋を抑制するために、コンクリート躯体内面に断熱補強材を貼着することとなり、コンクリート躯体内での断熱補強では、熱橋の低減が２５％程度しか期待出来ず、従来例２（図９（Ａ））より熱橋低減率が低い。
【０００８】
そして、コンクリート躯体内面には、断熱補強材による段差が生じ、内装仕上げに際しては、断熱補強材の段差を解消するための、内装材貼着下地の施工も必要となり、内装仕上げの面での施工数、及びコストが増加する。
また、図９（Ｃ）に示す如く、従来例２も従来例３も、共に、袖壁は耐力壁であって、袖壁の軸力（鉛直力）を土中の基礎梁に伝達するため、袖壁は、耐力壁としての厚さ（標準：１８０mm）が必要で、軸力を下方に伝達するため、袖壁に開口部（化粧窓）は配置出来ない。
【０００９】
しかも、袖壁は、土中の基礎梁に連続するため、土中に埋設する大径の排水管の配管施工も煩雑となる。
本発明は、これら従来例１，２，３の問題点を、一挙に解決、又は改善するものであって、鉄筋コンクリートのバルコニー床スラブ、及び鉄筋コンクリート袖壁を、共に、コンクリート躯体に、熱橋作用を抑制して片持ち支持するものであって、外断熱鉄筋コンクリート建物から突出するバルコニー及び袖壁を合理的に構築する技術を提供するものである。
【課題を解決するための手段】
【００１０】
本願の鉄筋コンクリート造外断熱建物の外壁構造の発明は、例えば図１に示す如く、鉄筋コンクリート造外断熱建物のコンクリート外壁Ｗから、鉄筋コンクリートのバルコニー床スラブＳＢ、及び鉄筋コンクリートの袖壁５を、片持ち支持形態で突出付設した外壁構造であって、外壁Ｗは、断熱層２Ｂと外装下地材２Ａとを層着した複合パネル２によって外断熱被覆し、バルコニー床スラブＳＢは、基端Ｂｂ全面を横長の断熱層４Ｂで外壁表面Ｗｆと熱的に遮断すると共に、断熱層４Ｂを貫通するＺ筋１の一半の突出部ＡＰをコンクリート躯体ＣＦ内に、他半の突出部ＢＰをバルコニー床スラブＳＢ内に固定して片持ち支持し、袖壁５は、基端５ｂ全面を縦長の断熱層３Ｂで外壁表面Ｗｆと熱的に遮断すると共に、断熱層３Ｂを貫通するＺ筋１の一半の突出部ＡＰをコンクリート躯体ＣＦ内に、他半の突出部ＢＰを袖壁５内に固定して片持ち支持したしたものである。
【００１１】
この場合、断熱層３Ｂ，４Ｂは、発泡プラスチック系断熱層であれば良く、典型的には、ＪＩＳＡ９５１１の発泡断熱材である。
また、Ｚ筋１は、被支持体側、即ち、バルコニーＢ又は袖壁５側から支持体側、即ち、コンクリート躯体ＣＦ側に亘って延出し、且つ、被支持体を片持ち支持する支持鉄棒であれば良く、単本形態でも良いが、典型的には、図７（Ｂ）に示す、３本の鉄筋を一体化したトラス形態である。
【００１２】
そして、Ｚ筋１の配置間隔、筋径、配置本数等は、構造計算を基に適宜決定すれば良いが、型枠組みの配筋作業性の観点から、少数のＺ筋１を大間隔で配置するのが好ましい。
また、バルコニーＢも、袖壁５も、Ｚ筋１のみで片持ち支持するため、構造力学的には、バルコニーＢと、袖壁５とは無干渉とするのが好ましいが、袖壁５とバルコニー床スラブＳＢとを隣接連続配置する場合にあっては、バルコニー床スラブＳＢの長辺方向上端筋を袖壁５内に延出して、両者の隣接部でのコンクリートひび割れを抑制することも可能である。
【００１３】
従って、本発明の外壁構造にあっては、鉄筋コンクリートの、バルコニー床スラブＳＢ及び袖壁５が、共に、断熱層４Ｂ，３Ｂで熱遮断され、バルコニー床スラブＳＢ及び袖壁５からコンクリート躯体ＣＦへの熱橋ルートは、外気→バルコニー床スラブ、及び袖壁のコンクリート→Ｚ筋→コンクリート躯体→居室内、のルートのみとなり、コンクリート躯体ＣＦ内への外部からの熱橋作用が顕著に抑制出来る。
【００１４】
そして、コンクリート躯体ＣＦの外壁Ｗ全面が複合パネル２で外断熱被覆されているため、バルコニー床スラブＳＢ及び袖壁５を外壁Ｗから突出付設しているにも関わらず、優れた外断熱機能を備えた外壁構造となる。
また、鉄筋コンクリートの、バルコニー床スラブＳＢ、及び袖壁５は、コンクリート躯体ＣＦと独立してＺ筋１群のみによって片持ち支持されるため、バルコニー床スラブＳＢ及び袖壁５の形態が自在に設計出来、袖壁５に意匠上の開口部すら配置出来、建築物としての設計の自由度が大となる。
【００１５】
また、外壁構造の発明にあっては、Ｚ筋１は、図７（Ｂ）に示す如く、Ｚ上端筋１ＵとＺ下端筋１Ｄとを、水平上辺部１Ｕ´、中間傾斜部１Ｓ及び水平下辺部１Ｄ´から成るＺトラス筋１Ｍで、上下方向に応力中心距離Ｌ１５
を保って一体化固着したものが好ましい。
【００１６】
この場合、Ｚ上端筋１ＵとＺ下端筋１Ｄとが、上下に必要応力中心距離Ｌ１５（標準：９２mm）を保って一体化しているため、引張り応力用の上端筋と圧縮応力用の下端筋とを、別個独立的に配置する場合に比べて、遥かに大きな支持力（構造計算上：３．６４倍）を発揮し、Ｚ筋１の配置間隔が、図１の実施例でのバルコニー床スラブでは、標準：４５０mm間隔に１本、袖壁５では標準：９００mm間隔に１本と、少ない本数で、大間隔となり、バルコニー床スラブ型枠及び袖壁型枠構築時の配筋作業が簡便、且つ容易となる。
しかも、Ｚ筋１は、工場生産品となるため、品質保証された、均質品として建築現場に供給出来、バルコニーや袖壁の、施工業者の相違による、安全性に欠けた構築上のバラツキが防止出来る。
【００１７】
また、バルコニー床スラブＳＢを熱遮断する断熱層４Ｂ、及び袖壁５を熱遮断する断熱層３Ｂが、共に、複合パネル２の断熱層２Ｂと同一材料で、且つ、同一厚さであるのが好ましい。
【００１８】
この場合、コンクリート打設用の型枠組み作業に於いて、Ｚ筋１を保持する断熱層４Ｂを複合パネル２の断熱層２Ｂの上面に整合配置し、Ｚ筋１を保持する断熱層３Ｂを複合パネル２の断熱層２Ｂと左右整合配置するだけで、コンクリート外壁Ｗに対する断熱被覆が均斉に実施出来るため、型枠組み作業が容易であると共に、コンクリート外壁Ｗに対する、複合パネル断熱層２Ｂ、バルコニー断熱層４Ｂ、袖壁断熱層３Ｂが、同一断熱機能を奏することとなり、均斉な断熱被覆を備えた外壁構造となる。
【００１９】
また、外壁構造の発明にあって、バルコニー床スラブＳＢの長辺方向上端筋９Ａが袖壁５内に延びているのが好ましい。
この場合、バルコニー床スラブＳＢの型枠内での配筋作業にあって、長辺方向上端筋９Ａの配筋固着は、最後の工程として実施出来るため、袖壁５の型枠内への延出固定作業は容易であり、バルコニー床スラブＳＢで重力による引張り応力を最大値で受ける上面部近傍が、袖壁５と上端筋９Ａで一体化するため、バルコニー床スラブＳＢは、基端から先端まで、袖壁との一体化構造となり、バルコニー床スラブＳＢ独自の撓み（標準：基端で０．３mm、先端で２．０mm）が袖壁５独自の撓み（標準：基端で０．００１mm、先端で０．４９４mm）と合体され、バルコニー床スラブＳＢと袖壁５との接合部でのコンクリートひび割れが抑制出来る。
【００２０】
また、本発明の外壁構造にあっては、図７（Ｃ）に示す如く、Ｚ筋１の中間傾斜部１Ｓが、断熱層３Ｂ（４Ｂ）内で、厚さＴＢ全域に亘って傾斜配置して、断熱層３Ｂ（４Ｂ）に剛構造機能を付与しているのが好ましい。
【００２１】
この場合、断熱層３Ｂ，４Ｂの厚さＴＢ全域に亘って、Ｚトラス筋１Ｍによるトラス構造が導入出来ているため、それ自体は強度の小さな断熱層３Ｂ，４Ｂが、力学上は、コンクリート体に置換した構造となり、コンクリート躯体ＣＦと一体化した、バルコニー床スラブＳＢ及び袖壁５は、断熱層３Ｂ，４Ｂも剛構造となって、Ｚトラス筋１ＭによるＺ上端筋１ＵとＺ下端筋１Ｄとの間への十分な応力中心距離Ｌ１５の付与と相俟って、コンクリートバルコニー床スラブＳＢ及びコンクリート袖壁５の垂直方向曲げモーメントによる撓み量が極端に低減（標準:バルコニー床スラブ基端：０．３mm以下、袖壁基端：０．００１mm）出来、バルコニー床スラブＳＢ及びコンクリート袖壁５の強固な支持が可能となる。
【００２２】
また、Ｚ筋１は、図２（Ｂ）に示す如く、コンクリート躯体ＣＦ内固着用の突出部ＡＰが屈曲してコンクリート躯体ＣＦ内で固定されているのが好ましい。
この場合、突出部ＡＰは、側方への屈曲でも、下方への屈曲でも良く、屈曲角は９０°が好ましい。
そして、突出部ＡＰを屈曲させれば、屈曲突出部ＡＰのコンクリート躯体ＣＦ内への配置が、図２（Ｂ）の如く、外壁Ｗの厚さＴＷ（標準：１８０mm）内でも可能となる。
従って、バルコニー床スラブＳＢは、居住部床スラブＳＡと段差を保つ形態、即ち、直線延伸した突出部ＡＰを居住部床スラブＳＡ内で固定出来ない形態での付設が可能となり、コンクリート袖壁５も、図２（Ｂ）の如く、外壁Ｗへの付設が可能となり、バルコニー床スラブＳＢ及びコンクリート袖壁５の突設位置が自在となる。
【００２３】
また、外壁構造の発明にあっては、複合パネル２が、コンクリート外壁Ｗより透湿抵抗の小さな発泡プラスチック系断熱層２Ｂと、該断熱層２Ｂより透湿抵抗の小さな外装下地材２Ａとを層着一体化したパネルであるのが好ましい。
【００２４】
この場合、標準厚ＴＷが１８０mm厚のコンクリート壁Ｗの透湿抵抗は、１２６ｍ２ｈmmＨｇ／ｇであるから、標準７５mm厚の断熱層２Ｂとしては、押出法ポリスチレンフォームを採用すれば、透湿抵抗は５２．５ｍ２ｈmmＨｇ／ｇとなり、外装下地材２Ａとして、１２mm厚のマグネシウムセメント板の透湿抵抗は、１４ｍ２ｈmmＨｇ／ｇであり、複合パネル２として、押出法ポリスチレンフォーム板の７５mm厚断熱層２Ｂと、１２mm厚のマグネシウムセメント板２Ａとの積層パネルを用いれば、コンクリート外壁Ｗから外装下地材２Ａへと、順次、透湿抵抗が大から小に変化した構造に出来る。
【００２５】
従って、該複合パネル２を外断熱に張設した外壁は、室内の水蒸気が自然と外部に透過放出するものとなり、鉄筋コンクリートバルコニー、及び鉄筋コンクリート袖壁を突出付設した鉄筋コンクリート建築物は、外壁Ｗが透湿性外断熱被覆となって、内部結露が抑制出来ると共に、コンクリートバルコニー床スラブＳＢ、及びコンクリート袖壁５からも、建物内部への熱橋が抑制されて内部結露の発生が抑制出来、カビやダニの発生しない、住環境に優れた、省エネルギーの高品質住宅となる。
【００２６】
また、本発明の、バルコニー床スラブ支持用の断熱支持パネルは、図６に示す如く、横長形態の発泡プラスチック系断熱層４ＢにＺ筋１を貫通保持した、バルコニー床スラブＳＢを片持ち支持するための断熱支持パネル４であって、断熱層４Ｂは、上下方向に長孔形態の挿入用孔Ｈ１を備えて、厚さＴＢが、コンクリート壁Ｗを外断熱被覆する複合パネル２の断熱層２Ｂと同厚であり、高さ４ｈが、少なくとも、片持ち支持するバルコニー床スラブＳＢの基端Ｂｂの厚さＴＳであり、Ｚ筋１は、Ｚ上端筋１ＵとＺ下端筋１Ｄとを、水平上辺部１Ｕ´、中間傾斜部１Ｓ及び水平下辺部１Ｄ´から成るＺトラス筋１Ｍで、上下に、応力中心距離Ｌ１５を保って一体化したものであり、断熱層４Ｂの挿入用孔Ｈ１から突出するＺ筋１の、一半の突出部ＡＰをコンクリート躯体ＣＦ内への固定部とし、他半の突出部ＢＰをバルコニー床スラブＳＢ内への固定部としたものである。
【００２７】
この場合、断熱層４Ｂは、バルコニー床スラブＳＢの基端Ｂｂ面を、左右全長に亘って熱遮断するものであり、断熱層４Ｂの横方向長さＬ４は、構造計算により使用Ｚ筋１の配置間隔を求め、且つ、取扱い、及び施工容易な長さに決定すれば良く、図１の、床スラブ厚ＴＳが１８０mmで、奥行きＬＢが１５００mmのバルコニー支持用として、Ｚ上端筋１Ｕに、径２２mm、１２００mm長、Ｚ下端筋１Ｄに、径２２mm、７６０mm長の鋼棒を、Ｚトラス筋１Ｍに１６mm径の鋼棒棒を適用して、応力中心距離Ｌ１５を９２mmで一体化したＺ筋１を採用すれば、Ｚ筋１の間隔ＬＺは４５０mmに出来、図６に示す如く、床スラブ支持用の断熱支持パネル４は、断熱層長Ｌ４が９００mmで、Ｚ筋１を間隔ＬＺが４５０mmで２本配置すれば、安全性の十分に保証されたものとなる。
【００２８】
従って、Ｚ上端筋１ＵとＺ下端筋１Ｄとを、十分な応力中心距離Ｌ１５を保ってＺトラス筋１Ｍで一体化したＺ筋１は、床スラブＳＢの曲げモーメントによって生ずる、引張り応力にＺ上端筋１Ｕが対抗し、圧縮応力にＺ下端筋１Ｄが対抗するため、Ｚトラス筋１Ｍによる応力中心距離の付与と相俟って、バルコニー床スラブＳＢの片持ち支持に、必要、且つ、十分な支持力を発揮し、安全、且つ、撓み（標準基端変位：０．３mm以下）の極端に抑制されたコンクリートバルコニー床スラブＳＢが得られる。
【００２９】
また、Ｚ筋１の断熱層４Ｂへの挿通は、上下方向に長孔形態の挿入用孔Ｈ１への挿通であるため、断熱層４Ｂの穿孔による欠損を最少に抑制して実施出来、挿入用孔Ｈ１に対する断熱機能の修復作業も容易となる。
しかも、断熱支持パネル４は、工場での製作となるため、均質で、信頼性ある製品として準備出来、１枚のパネルに貫通保持するＺ筋は少ない（標準：２本）ため、保管、運搬も容易であって、広範囲の施工現場への展開が可能であると共に、該断熱支持パネル４で構築した片持ち支持バルコニーＢは、安全性の保証されたものとなる。
【００３０】
また、バルコニー床スラブ支持用の断熱支持パネル４には、図４に示す如く、断熱層４Ｂの上面、下面、及び左右両側面の幅中央に、スリット溝４Ｇを配置しておくのが好ましい。
断熱支持パネルの断熱層４Ｂは、上下左右の複合パネル２の断熱層２Ｂや袖壁５を熱遮断する断熱層３Ｂと、面一に整合配置することにより、コンクリート外壁Ｗを均質に断熱被覆出来るものであるため、断熱層４Ｂの四周面にスリット溝４Ｇを備えておれば、型枠組み時に、隣接断熱層２Ｂ，３Ｂのスリット溝２Ｇ，２Ｇ´，３Ｇとの間に、図４に示す如く、十字ジョイント１２の垂直ブレード１２Ｆや、接合板３Ａを嵌入することにより、位置決め作業が容易となり、且つ上下、左右接続状態の維持が容易となり、バルコニー床スラブＳＢの構築時の型枠構築作業が容易となる。
【００３１】
また、本発明の、コンクリート袖壁支持用の断熱支持パネルは、図６に示す如く、縦長形態の発泡プラスチック系断熱層３ＢにＺ筋１を貫通保持した、コンクリート袖壁５を片持ち支持するための断熱支持パネル３であって、断熱層３Ｂは、上下方向に長孔形態の挿入用孔Ｈ１を備え、厚さＴＢが、コンクリート壁Ｗを外断熱被覆する複合パネル２の断熱層２Ｂと同厚であり、左右幅Ｗ３が、片持ち支持する袖壁５の壁厚Ｔ５と、少なくとも同寸であり、Ｚ筋１は、Ｚ上端筋１ＵとＺ下端筋１Ｄとを、水平上辺部１Ｕ´、中間傾斜部１Ｓ及び水平下辺部１Ｄ´から成るＺトラス筋１Ｍで、上下に、応力中心距離Ｌ１５を保って一体化したものであり、断熱層３Ｂの挿入用孔Ｈ１から突出するＺ筋１の、一半の突出部ＡＰをコンクリート躯体ＣＦ内への固着部とし、他半の突出部ＢＰをコンクリート袖壁５内への固着部としたものである。
【００３２】
この場合、断熱層３Ｂは、コンクリート袖壁５の基端５ｂ面を、上下全長に亘って熱遮断するものであり、断熱層３Ｂの縦方向高さ３ｈは、構造計算によって使用Ｚ筋１の配置間隔を求め、且つ、取扱い、及び施工性から決定すれば良く、図１の、奥行きがバルコニー床スラブＳＢと同長の１５００mmで、厚さＴ５が１８０mm、階高１ｈが２７００mmのコンクリート袖壁支持用として、径２２mm、長さ１２００mmのＺ上端筋１Ｕと、径２２mm、長さ７６０mmのＺ下端筋１Ｄとを、応力中心距離Ｌ１５が９２mmで、径１６mmのＺトラス筋１Ｍにより一体化したＺ筋１、即ち、バルコニー用の断熱支持パネル４のＺ筋１と同一物を採用すれば、Ｚ筋１の上下配置間隔ｈＺは９００mmで、安全性が十分となるため、典型的には、断熱層３Ｂは、高さ３ｈが９００mmで中間に１本のＺ筋１を備えたものである。
【００３３】
従って、Ｚ上端筋１ＵとＺ下端筋１Ｄとを、十分な応力中心距離Ｌ１５（標準：９２mm）を保ってＺトラス筋１Ｍで一体化したＺ筋１は、コンクリート袖壁５の曲げモーメントによって生ずる、引張り応力にＺ上端筋１Ｕが、圧縮応力にＺ下端筋１Ｄが対抗し、風力による水平応力にはＺ筋１の構成棒鋼１Ｕ，１Ｄ，１Ｍ全体が対抗するため、Ｚトラス筋１Ｍによる十分な応力中心距離の付与と相俟って、該Ｚ筋１を備えたコンクリート袖壁支持用の断熱支持パネルは、コンクリート外壁Ｗと熱遮断形態で、且つ安全性の保証された、片持ち支持のコンクリート袖壁の提供を可能とする。
【００３４】
そして、Ｚ筋１の断熱層３Ｂへの挿通も、上下方向に長孔形態の挿入用孔Ｈ１への挿通であるため、挿入用孔Ｈ１形成時の穿孔による断熱層３Ｂの欠損が最少限に抑制出来、Ｚ筋１挿通後の挿入用孔Ｈ１の断熱機能修復作業も容易に実施出来る。
しかも、断熱支持パネル３は、バルコニー用の断熱支持パネル４同様に、工場生産となるため、均質で、信頼性ある製品として準備出来、１枚のパネルにＺ筋１の配置本数が少ない（標準：１本）ため、保管、運搬も容易であって、遠隔地への展開も容易であって、該断熱支持パネル３を採用した片持ち支持袖壁５は、安全性の保証されたものとなる。
【００３５】
また、袖壁用の断熱支持パネル３にあっては、図６に示す如く、断熱層３Ｂの両側面の幅中央に、スリット溝３Ｇを配置しておくのが好ましい。
コンクリート袖壁の断熱支持パネル３は、コンクリート袖壁５の基端５ｂ全面をコンクリート外壁Ｗと熱遮断すると共に、バルコニー床スラブＳＢの基端Ｂｂ面をコンクリート外壁Ｗと熱遮断する断熱層４Ｂ、及びコンクリート外壁Ｗを断熱被覆する複合パネル２の断熱層２Ｂと共に、コンクリート外壁表面Ｗｆを隙間無く覆う必要がある。
【００３６】
従って、断熱層３Ｂの両側面の幅中央のスリット溝３Ｇは、例えば図５（Ａ）、図６に示す如く、両側に位置する断熱層２Ｂ、或いは断熱層４Ｂの側面に付設したスリット溝２Ｇ，２Ｇ´，４Ｇとを整合当接させて接合板３Ａによって面一形態に接続出来るため、コンクリート袖壁の型枠構築時の断熱支持パネル３の、適正位置への配置、及び適正位置での保持の作業が容易となる。
【００３７】
また、バルコニー床スラブ支持用の断熱支持パネル４、及びコンクリート袖壁支持用の断熱支持パネル３に用いるＺ筋１は、断熱層３Ｂ，４Ｂの上下方向長孔形態の挿入用孔Ｈ１を貫通し、挿入用孔Ｈ１内では、図７（Ｃ）の如く、断熱耐火材３ＥでＺ筋１を充填被覆保持するのが好ましい。
【００３８】
この場合、断熱耐火材３Ｅとしては、耐火性、断熱性に富み、鋏で切断出来る、例えば、カオウール（イソライト工業（株）、商品名）や、フイブロック（積水化学工業（株）、商品名）等でＺ筋１を被覆し、現場発泡ウレタンを注入充填すれば良い。
そして、断熱耐火材３ＥでＺ筋１を被覆すれば、断熱耐火材３Ｅと挿入用孔Ｈ１との間に若干の空隙が出来るが、現場発泡ウレタンで充填すれば、Ｚ筋１は、若干の上下左右動が許容され、型枠組み時のＺ筋１の位置の微調整が可能となり、Ｚ筋１の配筋固定が容易となる。
【００３９】
そして、該Ｚ筋１を貫入固定した、バルコニー支持用の断熱支持パネル４、及び袖壁支持用の断熱支持パネル３によって、図１の如く、バルコニー床スラブＳＢ及びコンクリート袖壁５を構築すれば、Ｚ筋１は、バルコニー床スラブＳＢ、及びコンクリート袖壁５の降下撓みに対抗する強度を常時負担しているが、各断熱層４Ｂ，３Ｂの部位では断熱耐火材３Ｅによって保護されているため、火災時の断熱層４Ｂ，３Ｂの燃焼に際しても、Ｚ筋１の加熱劣下による支持力低下が抑制出来、バルコニー床スラブ、及びコンクリート袖壁の耐火性が向上する。
【００４０】
しかも、Ｚ筋１の挿入用孔Ｈ１が、上下方向の長孔であるため、３本の棒鋼１Ｕ，１Ｄ，１Ｍの上下一体化したＺ筋１は、断熱層４Ｂ，３Ｂの穿孔欠損を最少に抑制して貫入出来、挿入用孔Ｈ１内でのＺ筋１の位置調整の下での断熱耐火材３Ｅによる断熱補修が可能となり、工場内での均質な断熱支持パネル４及び３の製作が可能となる。
【００４１】
また、バルコニー支持用断熱支持パネル４、及び袖壁支持用断熱支持パネル３にあっては、図６に示す如く、挿入用孔Ｈ１の一側外面を、上下にＺ筋挿入用円孔Ｈ２，Ｈ２´，Ｈ３を備えた座板７で貼着閉止するのが好ましい。
【００４２】
この場合、座板７は、図７（Ｄ）に示す如く、厚さ２〜３mmで挿入用孔Ｈ１の全体を覆う矩形のプラスチック板を採用すれば良く、各挿入用円孔Ｈ２，Ｈ２´，Ｈ３は、対応挿通用棒鋼１Ｕ，１Ｄ，１Ｍの径より若干（標準：３mm）大とし、断熱層４Ｂ，３Ｂの一方の面（典型的には外面）から挿入用孔Ｈ１を閉止するように貼着すれば良い。
従って、挿入用孔Ｈ１内への断熱耐火材３Ｅの被覆充填、現場発泡ウレタンの注入充填は、座板７がストッパーの役目を奏して作業が容易となり、Ｚ筋１は座板７を支点として若干の上下左右回動が可能となって、配筋時の位置の微調整、及び位置固定作業が容易となる。
【００４３】
また、断熱支持パネル４、及び断熱支持パネル３にあって、Ｚ筋１は、図７（Ｃ）の如く、Ｚトラス筋１Ｍの中間傾斜部１Ｓが、外方から内方へと降下する４５°傾斜であり、中間傾斜部１Ｓを断熱層３Ｂ，４Ｂの厚さＴＢ全域に介在して、断熱層３Ｂ，４Ｂに剛構造機能を付与するのが好ましい。
【００４４】
本発明の断熱支持パネル４，３でバルコニーや袖壁を支持すれば、Ｚ筋１は片持ち支持のため、下方への曲げモーメントによって、Ｚ上端筋１Ｕには引張り応力が、Ｚ下端筋１Ｄには圧縮応力が作用し、引張り応力と圧縮応力の界面中立軸に生ずる剪断応力は、理論上４５°となるため、４５°傾斜配置のＺトラス筋１Ｍが剪断応力に有効に対抗する。
しかも、Ｚトラス筋１Ｍは、Ｚ上端筋１Ｕの引張り応力対抗に助力する引張り応力対抗機能も奏する。
【００４５】
そして、Ｚトラス筋１Ｍは、断熱層４Ｂ，３Ｂの全幅ＴＢ（標準：７５mm）に亘ってトラス構造を導入するため、それ自体は強度の小さな断熱層３Ｂ，４Ｂが、力学上、コンクリート体に置換した剛構造となる。
従って、本発明のＺ筋１は、Ｚ上端筋１ＵとＺ下端筋１Ｄとの間への十分な応力中心距離Ｌ１５の付与と相俟って、断熱支持パネル４では、バルコニー床スラブ基端Ｂｂの曲げモーメントによる撓み量が極端に低減（標準：０．３mm以下）出来、断熱支持パネル３では、コンクリート袖壁基端５ｂの曲げモーメントによる撓み量が極端に低減（標準：０．００１mm）出来、バルコニー床スラブＳＢ、及びコンクリート袖壁５の強固な片持ち支持を可能とする。
【００４６】
また、Ｚ筋１は、図７（Ｂ）に示す如く、断熱層３Ｂ，４Ｂ内の部位には、耐火塗料１Ａを塗布し、突出部ＡＰ，ＢＰの部位には、断熱性錆止め塗料１Ｂを塗布するのが好ましい。
この場合、Ｚ筋１の全長全面に亘って、防蝕、断熱性のエポキシ樹脂塗料の耐火コート下塗材（（株）エスケー化研、商品名）を、断熱性錆止め塗料１Ｂとして塗布し、断熱層３Ｂ，４Ｂ対応部位には、更に、ＳＫ耐火コート上塗材（（株）エスケー化研、商品名）を耐火塗料１Ａとして上塗りすれば良い。
【００４７】
従って、断熱層３Ｂ，４ＢのＺ筋挿入用孔Ｈ１を、断熱耐火材３Ｅ、及び／又は、現場発泡ウレタンの充填で断熱機能修復すれば、火災時の断熱層３Ｂ，４Ｂの燃焼の際にも、Ｚ筋１の火災劣下が好適に阻止出来、Ｚ筋１のコンクリート内での腐蝕も抑制出来、片持ち支持したコンクリート袖壁５やバルコニー床スラブが高耐久性、且つ耐火性となる。
しかも、断熱性錆止め塗料１Ｂは、コンクリート→Ｚ筋１、の熱伝導を低減するため、該Ｚ筋１で片持ち支持した、バルコニー床スラブＳＢやコンクリート袖壁５からコンクリート躯体ＣＦへの熱橋作用も極端に低減出来る。
【００４８】
また、コンクリート袖壁５支持用の断熱支持パネル３、及びコンクリートバルコニー床スラブＳＢ支持用の断熱支持パネル４にあって、Ｚ筋１の突出部ＡＰが、図２（Ｂ）に示す如く、コンクリート躯体ＣＦ内固着用に、実質上９０°折曲しているのが好ましい。
【００４９】
この場合、折曲方向は、下方への９０°屈曲でも、側方への９０°折曲でも良く、コンクリート躯体ＣＦ内固着用の突出部ＡＰが折曲しておれば、コンクリートとの固着力が増加し、突出部ＡＰの短寸化が可能となり、屈曲先端に定着板１Ｃを固定しておけば、セメントとの固着力が更に増大し、突出部ＡＰのより短尺化が可能となる。
従って、コンクリート躯体ＣＦ側の突出部ＡＰが折曲したため、Ｚ筋１の片持ち支持は、外壁Ｗ内への定着すら可能となり、バルコニー床スラブＳＢや袖壁５の付設位置が自在となり、建物設計の自由度が向上する。
【発明の効果】
【００５０】
本発明の鉄筋コンクリート造外断熱建物の外壁構造は、外壁Ｗから突出付設した鉄筋コンクリートバルコニーや、鉄筋コンクリート袖壁等が、コンクリート外壁Ｗから断熱層３Ｂ，４Ｂを介して熱遮断された形態で、支持Ｚ筋１群のみによって片持ち支持されるため、突出付設物（バルコニー、袖壁等）のコンクリートから建物躯体のコンクリート（コンクリート外壁等）への熱橋は、断熱層３Ｂ，４Ｂで遮断され、従来の如く、バルコニーや袖壁の突出付設物の外周面を断熱被覆する必要無く、突出付設コンクリート構造物からのコンクリート躯体ＣＦ側への熱橋作用が抑制出来、外断熱建物の外壁構造が簡便に得られる。
【００５１】
また、突出付設するコンクリート構造物は、支持Ｚ筋１群のみで片持ち支持されて、コンクリート躯体ＣＦに対して、構造的には二次構造物となるため、例えば、図１に示す、階高の全高に亘るコンクリート袖壁すら、耐力壁でないために壁厚の制約が無くなり、袖壁５面に化粧窓の開口も可能となり、コンクリート躯体ＣＦに対する配置位置、配置構造の制約も受けず、好みに応じた形態で実施出来、建物のデザイン設計上の自由度が高くなる。
【００５２】
また、鉄筋コンクリート造外断熱建物の外壁構造にあって、コンクリート外壁Ｗから突出付設するバルコニーや袖壁は、断熱層に支持用Ｚ筋を貫通保持した、バルコニー床スラブ支持用の断熱支持パネル４、及びコンクリート袖壁支持用の断熱支持パネル３によって片持ち支持するため、コンクリート外壁Ｗ及びコンクリート突出付設物（バルコニー、袖壁）のコンクリート型枠組み時に、断熱支持パネル３，４を介在して型組みするだけで、バルコニー床スラブＳＢやコンクリート袖壁５が、コンクリート外壁Ｗに対して、熱遮断形態、且つ片持ち支持形態に構築出来、作業性良く構築出来る。
【００５３】
しかも、コンクリート突出付設物の安全性、及び断熱性を左右する断熱支持パネル３，４は、工場生産品であるため、十分に安全の保証された、均質な製品として準備出来、製品としての保管、搬送も容易であって、広範囲の施工現場への展開が可能となり、該断熱支持パネル３，４の採用によって構築されたコンクリート袖壁５やコンクリートバルコニーＢは、安全性の保証されたものとなる。
【００５４】
また、本発明の断熱支持パネル３，４は、断熱層３Ｂ，４Ｂが剥き出しであるため、コンクリート外壁Ｗを外断熱被覆する複合パネル２の断熱層２Ｂと当接衝合使用さえ出来れば良く、実施例で採用した、透湿性複合パネルであっても、通気条溝を内面に備えた押出成形セメント板と断熱層とを層着した、特許第３５２６５６２号の通気性複合パネルであっても、複合パネル２が密着型複合パネルであれば、断熱支持パネル３，４の採用は可能である。
【発明を実施するための最良の形態】
【００５５】
〔実施対象外壁構造（図１）〕
図１は、本発明の外壁構造の一部切欠斜視図である。
図１に示す如く、コンクリート外壁Ｗは、壁厚（肉厚）ＴＷが１８０mmで、階高１ｈが２７００mmであり、外壁Ｗの外面Ｗｆを厚さＴ１が８７mmの複合パネル２で被覆しており、複合パネル２は、７５mm厚の発泡プラスチック系断熱層２Ｂに１２mm厚のマグネシウムセメント板を外装下地材２Ａとして層着した、透湿性の密着型の複合パネルである。
【００５６】
また、バルコニーＢは、コンクリート躯体ＣＦの耐力壁としての壁厚ＴＷが１８０mmのコンクリート外壁Ｗから、バルコニー床スラブ支持用の断熱層４ＢがＺ筋１を貫通保持した断熱支持パネル４によって、居住部床スラブＳＡから延長形態に、片持ち支持で突設したものであって、床スラブ厚ＴＳが１８０mm、奥行きＬＢが１５００mmであり、長辺先端縁には、高さｄ１のパラペットＰを備えたものである。
また、袖壁５は、厚さＴ５が１８０mmで、階高１ｈ（２７００mm）の無開口壁であり、奥行きＬＢがバルコニーＢと同じ１５００mmであって、コンクリート袖壁支持用の、断熱層３ＢがＺ筋１を貫通保持した断熱支持パネル３によって、コンクリート躯体ＣＦの側面の耐力壁外壁Ｗから延長形態に、片持ち支持で突設したものである。
【００５７】
〔断熱支持パネル３（図７）〕
図７（Ａ）は、コンクリート袖壁用の断熱支持パネル３の斜視図であって、縦長形態の発泡プラスチック系断熱層３Ｂの中央に１本のＺ筋１を貫通保持したものである。
断熱層３Ｂは、ＪＩＳＡ９５１１の発泡プラスチック系断熱板であって、厚さＴＢが７５mmで、コンクリート外壁Ｗ被覆用の複合パネル２の断熱層２Ｂと同材質、且つ、同厚とし、幅Ｗ３は２００mmで、コンクリート袖壁５の厚さＴ５（１８０mm）より若干（２０mm）広幅とする。
また、高さ３ｈは９００mmとし、階高１ｈ（２７００mm）と同高のコンクリート袖壁５の高さの１／３、即ち、２７００mm高さのコンクリート袖壁５に対し、上下に３枚接続して対処するものとする。
【００５８】
また、断熱層３Ｂの上下左右中央部には、幅４０mm、高さ１３５mmの上下方向長孔をＺ筋１の挿入用孔Ｈ１として穿設し、挿入用孔Ｈ１の一側外面（標準：袖壁側）を、図７（Ｄ）に示す如く、幅７Ｗが５０mm、高さ７ｈが１５０mmで２〜３mm厚のプラスチック板に、Ｚ上端筋挿入用円孔Ｈ２とＺトラス筋の水平上辺部挿入用円孔Ｈ２´及びＺ下端筋挿入用円孔Ｈ３を、それぞれ、挿入棒鋼径より若干（標準：３mm）大径に穿孔した座板７で貼着閉止し、図７（Ｂ）に示す如く、Ｚ上端筋１Ｕ、Ｚ下端筋１Ｄ及びＺトラス筋１Ｍの一体化固着したＺ筋１を断熱層３Ｂに貫入し、Ｚトラス筋１Ｍの中間傾斜部１Ｓが断熱層３Ｂ域に収納された状態で、挿入用孔Ｈ１内のＺ筋１をカオウール（イソライト工業（株）、商品名）で充填被覆し、次いで、挿入用孔Ｈ１内へ、現場発泡ウレタンを注入充填してＺ筋１を断熱層３Ｂ内に保持し、且つ、挿入用孔Ｈ１を断熱修復する。
そして、断熱層３Ｂの左側３Ｌ及び右側３Ｒ両側面の中央には、上下に亘るスリット溝３Ｇ（標準：幅Ｘ３が３．５mm、深さＹ３が４０mm）を、接続板７Ａ嵌入用に切り込んだものである。
【００５９】
〔断熱支持パネル４（図６）〕
断熱支持パネル４は、バルコニー床スラブＳＢを片持ち支持するパネルであって、図６に示す如く、横長形態の発泡プラスチック系断熱層４ＢにＺ筋１を２本貫通保持したものであり、断熱層４Ｂは、袖壁用断熱支持パネル３の断熱層３Ｂの厚さＴＢと同厚７５mm、且つ、同一材質である。
そして、高さ４ｈは２００mm、幅（横長）Ｌ４は９００mmであり、幅方向両側から２２５mmの位置に、２個の、幅４０mm、高さ１３５mmの上下方向長孔をＺ筋挿入用孔Ｈ１として間隔ＬＺ（４５０mm）を保って穿設し、該挿入用孔Ｈ１には、袖壁５用の断熱支持パネル３同様に、一側外面（標準：バルコニー側）に、図７（Ｄ）に示す座板７を貼着し、各２個の挿入用孔Ｈ１に、図７（Ｂ）に示すＺ筋１を貫入し、断熱支持パネル３同様に、挿入用孔Ｈ１内にカオウール（イソライト工業（株）、商品名）を充填し、現場発泡ウレタンを注入充填して、Ｚ筋２本を保持し、且つ、挿入用孔Ｈ１を断熱修復する。
【００６０】
そして、断熱層４Ｂの、左側４Ｌ及び右側４Ｒ両側面の中央には、スリット溝４Ｇを、両側に当接する断熱層４Ｂ（３Ｂ）との接合板３Ａを介した接続用に、上面４Ｕ及び下面４Ｄには浅い溝４Ｓを配置し、該溝４Ｓの中央にはスリット溝４Ｇを、上下に当接する断熱層２Ｂとの十字ジョイント１２を介した接続用に配置する。
即ち、バルコニー用の断熱支持パネル４は、図４に示す如く、Ｚ筋１の２本を断熱層４Ｂの両端から２２５mmの位置に、間隔ＬＺ（４５０mm）保って保持したものであって、各断熱支持パネル４を横方向に整合接続すれば、各Ｚ筋１群は４５０mm間隔配置となるものである。
【００６１】
〔Ｚ筋１（図６、図７）〕
Ｚ筋１は、バルコニー床スラブＳＢ、及びコンクリート袖壁５を片持ち支持する支持棒鋼であって、製作及び準備の合理化の観点から、バルコニー床スラブ支持用の断熱支持パネル４と、コンクリート袖壁支持用の断熱支持パネル３とには、同一基準のＺ筋１を採用する。
そして、Ｚ筋１自体は、図７（Ｂ）に示す如く、Ｚ上端筋１Ｕと、Ｚ下端筋１Ｄとを、水平上辺部１Ｕ´、中間傾斜部１Ｓ及び水平下辺部１Ｄ´から成るＺトラス筋１Ｍにより、応力中心距離（Ｚ上端筋１Ｕの軸心とＺ下端筋１Ｄの軸心間距離）Ｌ１５を保って、水平上辺部１Ｕ´をＺ上端筋１Ｕ下面に、水平下辺部１Ｄ´をＺ下端筋１Ｄ上面に当接して、両側から溶接固着一体化したものである。
【００６２】
Ｚ筋１は、断熱支持パネル３にあっては、鉄筋コンクリート袖壁５を片持ち支持形態で支持する必要があり、断熱支持パネル４にあっては、鉄筋コンクリートバルコニー床スラブＳＢを片持ち支持形態で支持する必要があり、Ｚ筋１の各構成棒鋼の径、長さ、Ｚ筋１の配置間隔は、構造計算に基づいて決定すれば良い。
即ち、曲げモーメントＭの一般式：Ｍ＝ａｔ×ｆｔ×ｊに基づいて決定すれば良い。
ここで、ａｔは、引張鉄筋棒鋼の断面積、ｆｔは、鉄筋棒鋼の許容引張応力度、ｊは、曲げ材の応力中心距離である。
上記一般式から明らかな如く、同一径の鉄筋棒鋼を採用しても、棒鋼の応力中心距離の値が支持力向上に極めて重要であるため、本発明にあっては、図７（Ｂ）の如く、Ｚトラス筋１Ｍの中間傾斜部１Ｓが断熱層３Ｂ（４Ｂ）厚ＴＢ全域に亘り、且つ、４５°傾斜の条件の下に、最大限の応力中心距離Ｌ１５を確保する。
【００６３】
そして、コンクリート外壁Ｗを断熱被覆する複合パネル２の断熱層２Ｂの厚さＴＢが７５mmであること、断熱支持パネル３の断熱層３Ｂも、断熱支持パネル４の断熱層４Ｂも、複合パネル２の断熱層２Ｂの厚さＴＢ（７５mm）と同一とすべきことより、図７（Ｃ）に示す如く、Ｚ上端筋１ＵとＺ下端筋１Ｄの間隔Ｌ１４を７０mmと設定すれば、Ｚトラス筋１Ｍの４５°傾斜の中間傾斜部１Ｓが、全て断熱層３Ｂ（４Ｂ）の厚さＴＢ（７５mm）内に収納出来、この場合、Ｚ上端筋１ＵとＺ下端筋１Ｄとに、２２mm径の棒鋼を採用すれば、Ｚ上端筋１ＵとＺ下端筋１Ｄとの応力中心距離Ｌ１５は、９２mm確保出来る。
【００６４】
そして、鉄筋棒鋼の径、長さは、垂直板形態で片持ち支持するコンクリート袖壁５よりも、水平板形態で片持ち支持し、安全性がより重要なバルコニー床スラブＳＢに対する性能（変位：１／４００以下）、と経済性から決定するが、図１の奥行きＬＢが１５００mm、厚さＴＳが１８０mmのバルコニー床スラブＳＢを、４５０mm間隔のＺ筋１群で支持する場合の、Ｚ筋１の使用棒鋼の径１９mm、２２mm、２５mmを計算比較すれば次のとおりである。
【００６５】
径１９mm        径２２mm        径２５mm
Ｚ上端筋１Ｕの全長（mm）      １２７６        １２００        １１４４
Ｚ下端筋１Ｄの全長（mm）        ７９３          ７６０          ７２７
重量（kg／個所）                ４．７          ６．０          ７．５
出願時価格（円／個所）          ２９８          ３８１          ４７５
強度の余裕                      ４３％          ５８％          ６８％
バルコニー先端の変位量（mm）    ２．６          ２．０          １．７
居住部床スラブＳＡと断熱層２Ｂ
との当接部の変位量（mm）        ０．３          ０．３          ０．３
変位                        １／４８２      １／５９６      １／７１１
尚、Ｚトラス筋１Ｍは、全て径１６mmの異形棒鋼を、且つ、同一形態で採用する。
【００６６】
また、Ｚトラス筋１Ｍは、中間の傾斜部１Ｓが、図２（Ｂ）の如く、Ｚ筋パネル２０の断熱層２Ｂの全幅Ｔ３（７５mm）に亘って剛性を付与し、力学上、断熱層２Ｂに、打設コンクリートと同効の剛性機能を付与し、且つ、バルコニー床スラブＳＢの曲げモーメントにより生ずるＺ上端筋１Ｕの引張り応力を負担させ（Ｚトラス筋傾斜部１Ｓに負荷する張力は約６００kgであるが、径１６mmのＺトラス筋１Ｍの強度１５％で、まだ８５％の余裕がある）、応力中心距離Ｌ１５は、Ｚ上端筋１ＵとＺ下端筋１Ｄの間隔Ｌ１４を７０mm（４５°傾斜の中間傾斜部１Ｓ全域を断熱層４Ｂ内に収納する寸法）に設定して求めた。
【００６７】
また、使用鉄筋棒鋼の径１９mm、径２２mm、径２５mmで、図１の袖壁５に適用する場合を試算比較すると次の通りである。
径１９mm        径２２mm        径２５mm  
Ｚ上端筋１Ｕの全長（mm）    １３００        １２００        １１５０  
Ｚ下端筋１Ｄの全長（mm）      ８２０          ７６０          ７３０  
重量（kg）                    ４．８          ６．０          ７．５  
出願時価格（円／個所）        ３０５          ３８１          ４７７  
強度の余裕                    ３１％          ４９％          ６１％  
Ｚ筋の数量（本）            ２．０６        １．５２        １．１７  
袖壁先端の変位量（mm）    ０．６６８      ０．４９４      ０．３７６  
袖壁基端の変位量（mm）    ０．００１      ０．００１      ０．００１  
変位                    １／１９８８    １／２６８７    １／３２５８  
風圧力による袖壁先端の
水平変位量（mm）            ０．０９        ０．０９        ０．０９  
風圧力による袖壁基端の
水平変位量（mm）            ０．２９        ０．１６          ０．１  
変位                      １／２５８      １／４６８      １／７５０  
尚、Ｚトラス筋１Ｍは、全て同一異形棒鋼を、且つ、同一形態で採用する。
【００６８】
従って、本発明の実施例のコンクリート床スラブＳＢは、奥行きＬＢが１５００mmで、床スラブ厚ＴＳが１８０mmの床スラブＳＢ内に、断熱支持パネル４の１枚にＺ筋２本配置し、各Ｚ筋１群を４５０mm間隔配置するため、Ｚ筋１は、図７（Ｂ）に示す如く、径２２mmで長さＬ１０が１２００mmの異形棒鋼をＺ上端筋１Ｕとし、径２２mmで長さＬ１２が７６０mmの異形棒鋼をＺ下端筋１Ｄとし、Ｚトラス筋１Ｍとして、径１６mmの異形棒鋼で、中間傾斜部１Ｓが４５°傾斜、Ｚ字形状の高さＬ１４が７０mm、水平上辺部１Ｕ´及び水平下辺部１Ｄ´が各８０mmのものを用い、Ｚトラス筋１Ｍの水平上辺部１Ｕ´をＺ上端筋１Ｕの下面に当接し、Ｚトラス筋１Ｍの水平下辺部１Ｄ´をＺ下端筋１Ｄの上面に接続し、各当接部を両側から溶接して固着部ＺＵ，ＺＤで一体化し、Ｚ上端筋１ＵとＺ下端筋１Ｄとの間に、９２mmの応力中心距離Ｌ１５を付与したＺ筋１を製作する。
【００６９】
そして、Ｚ筋１の全長全周に亘り、図７（Ｂ）の如く、防蝕性、付着性、断熱性に優れたエポキシ樹脂の耐火コート下塗材（（株）エスケー化研、商品名）を、錆止め塗料１Ｂとして２回塗布し、断熱層４Ｂ（３Ｂ）内に位置する部位には、更に、ＳＫ耐火コート（（株）エスケー化研、商品名）を塗布すれば良い。
このＺ筋１は、バルコニー用断熱支持パネル４にあっては、図６の如く、４５０mm間隔で配置すれば、実施例のバルコニー床スラブＳＢを、５８％の強度余裕を保って安全に片持ち支持し、コンクリート袖壁５にあっては、９００mm間隔で上下配置することにより、実施例のコンクリート袖壁５を、４９％の強度余裕を保って安全に片持ち支持する。
【００７０】
〔外壁構造の構築〕
コンクリート外壁Ｗの一般壁部にあっては、階高１ｈ（２７００mm）の高さを有する密着型の複合パネル２を、外装下地材２Ａを外面にして捨型枠とし、コンクリート壁型枠を慣用の手法で構築し、バルコニーＢ突設部にあっては、断熱支持パネル４の高さ４ｈ（２００mm）だけ短寸化した複合パネル２を捨型枠に立設してコンクリート壁型枠を構築し、該型枠上にバルコニー床スラブ型枠を慣用の手法で水平突設する。
そして、該バルコニー床スラブ型枠内に、断熱支持パネル４を、断熱層４Ｂを、コンクリート壁型枠の複合パネル２の断熱層２Ｂ上に整合載置する。
この場合、コンクリート型枠に採用する複合パネル２の断熱層２Ｂには、図６に示す如く、上下面及び両側面にスリット溝２Ｇを付設しておき、垂直ブレード１２Ｆ及び水平ブレード１２Ｍを備えた十字ジョイント１２の、下方垂直ブレード１２Ｆを複合パネル断熱層２Ｂ上面のスリット溝２Ｇに、上方垂直ブレード１２Ｆを断熱層４Ｂの下面のスリット溝４Ｇに嵌入して整合当接させる。
【００７１】
この場合、断熱層４Ｂの下面の浅い溝４Ｓは、十字ジョイント１２の水平ブレード１２Ｍを収容するため、複合パネル２の断熱層２Ｂ上面と、断熱支持パネル４の断熱層４Ｂ下面とは、衝合当接出来る。
そして、断熱支持パネル４のＺ筋１の、内方への突出部ＡＰを、慣用の手法で構築する居住部床スラブＳＡの型枠内に位置決めし、外方への突出部ＢＰを、バルコニー床スラブ型枠内に位置決めし、Ｚ筋１を型枠配筋内に確保する。
また、コンクリート袖壁型枠は、慣用の手法で外壁型枠から突出構築し、袖壁型枠内には、図３に示す如く、高さ３ｈが９００mmの断熱支持パネル３を順次上下接続して、断熱層３Ｂを複合パネル断熱層２Ｂ、及びバルコニー支持パネル断熱層４Ｂと整合配置する。
【００７２】
この場合、図５に示す如く、各断熱支持パネル３の上下接合部Ｊ３は、両面から、それ自体慣用の、セパレータ１１Ｈ´を備えたＫＰコン１１Ａで挟着し、アンカー１１Ｂで配筋内に固定して、各断熱支持パネル３の接合部Ｊ３をコンクリート圧に対抗可能とする。
また、コンクリート袖壁型枠内に配置する断熱層３Ｂと、外壁型枠内の複合パネル断熱層２Ｂと、バルコニー床スラブ型枠内の断熱層４Ｂとの側面での当接衝合は、図６に示す如く、接合板３Ａの、一半を断熱層２Ｂの側面のスリット溝２Ｇ及び断熱層４Ｂの側面のスリット溝４Ｇに嵌入し、他半を断熱層３Ｂの側面のスリット溝３Ｇに嵌入すれば、各断熱層２Ｂ，４Ｂ，３Ｂの面一での衝合接続が容易であり、外壁Ｗの出隅部にあっては、図５（Ａ）に示す如く、複合パネル２の断熱層２Ｂの、内側面での断熱層３Ｂとの当接面にスリット溝２Ｇ´を配置すれば、接合板３Ａの適用が可能である。
【００７３】
そして、慣用の手法で構築した、バルコニー床スラブ型枠内、及び袖壁型枠内に、各バルコニー支持用の断熱支持パネル４、及び袖壁支持用の断熱支持パネル３を配置し、各Ｚ筋１群を姿勢保持した後、各外壁型枠、バルコニー床スラブ型枠及び袖壁型枠にコンクリート打設すれば、図１に示す如く、鉄筋コンクリートのバルコニー床スラブＳＢは、基端Ｂｂが断熱層４Ｂでコンクリート外壁の外面Ｗｆと熱遮断され、鉄筋コンクリート袖壁５は、断熱層３Ｂでコンクリート外壁の外面Ｗｆと熱遮断されて突出付設し、一般壁部は、コンクリート外壁Ｗの外面を複合パネル２の断熱層２Ｂで外断熱被覆した外壁構造が得られる。
尚、バルコニー床スラブＳＢ内配筋時に、図４に示す如く、バルコニー長辺方向上端筋９Ａを袖壁型枠内に延出し、図３に示す如く、バルコニーＢの先端のパラペットＰと袖壁間に接合筋６を配置しておけば、バルコニー床スラブＳＢとコンクリート袖壁５との界面が一体化して、コンクリートひび割れが抑制出来る。
【００７４】
得られる外壁構造にあっては、コンクリート外壁Ｗの全露出面が複合パネル２で断熱被覆されており、透湿抵抗は、１８０mm厚のコンクリート外壁Ｗ、７５mm厚の断熱層２Ｂ、１２mm厚のマグネシウムセメント板（外装下地材）２Ａと、順次、内方から外方に減少しているため、外壁は、コンクリート躯体ＣＦ内部の水蒸気を外方に自然放出するため、内部結露の発生が無くて、カビやダニの発生の抑制された、しかも、外断熱で省エネルギー、及び耐久性に富む高品質建物となり、外壁Ｗからのバルコニーや袖壁等の突出物は、Ｚ筋１群で片持ち支持され、且つ、突出付設物は、コンクリート外壁Ｗと熱遮断形態となるため、熱橋作用の抑制された突出付設物が所望に応じて自由に付設可能となる。
【００７５】
〔その他〕
実施例では、図１、図２（Ａ）の如く、コンクリート袖壁５を、コンクリート躯体ＣＦの側面外壁Ｗから延出したが、図２（Ｂ）の如く、コンクリート袖壁５用の、断熱支持パネル３のＺ筋１のコンクリート躯体ＣＦ側への突出部ＡＰを折曲することにより、コンクリート袖壁５は、コンクリート外壁Ｗへの片持ち支持が可能となり、外壁Ｗのどの部位からの突出付設も可能となる。
同様に、バルコニー支持用の断熱支持パネル４で、Ｚ筋１の内方への突出部ＡＰを折曲して、コンクリート外壁Ｗ内に固着（図示せず）すれば、バルコニー床スラブＳＢは、居住部床スラブＳＡと段差のある形態での付設も可能となる。
そして、コンクリート袖壁５用の断熱支持パネル３にも、バルコニー支持用の断熱支持パネル４にも、Ｚ筋１の内方突出部ＡＰを、側方又は下方に９０°屈曲させることにより、バルコニー床スラブＳＢやコンクリート袖壁５の突出付設位置の自由度が増し、建物のデザイン設計の自由度が増す。
【００７６】
また、実施例では、横長形態の断熱支持パネル４の断熱層４Ｂと、複合パネル断熱層２Ｂとの上下接続を十字ジョイント１２で実施したが、十字ジョイント１２に代えて、接合板３Ａを断熱層４Ｂ下面のスリット溝４Ｇと、断熱層２Ｂ上面のスリット溝２Ｇとに嵌合実施しても良く、この場合は、断熱層４Ｂの上下面には、浅い溝４Ｓを設ける必要が無くなる。
【００７７】
また、実施例では、バルコニー床スラブＳＢとコンクリート袖壁５とを接続形態としたが、バルコニー床スラブＳＢもコンクリート袖壁５も、共に独自の断熱支持パネル３及び４で独立的に片持ち支持するものであるため、バルコニー床スラブＳＢとコンクリート袖壁５とを構造上、分離形態で実施しても良い。
この場合は、バルコニーＢと袖壁５とは、力学上干渉が無いため、設計の自由度が増し、型枠構築も容易となる。
そして、バルコニー床スラブＳＢと袖壁５との間に隙間が生じる場合は、必要に応じて、防水シート等の可撓性シートで隙間を閉止すれば良い。
【００７８】
また、バルコニー床スラブＳＢと、コンクリート袖壁５との接続形態を、バルコニー床スラブＳＢの、長辺方向上端筋９Ａ、及び長辺方向下端筋９Ｂを、共に、コンクリート袖壁５内に延出して定着させ、バルコニー床スラブＳＢとコンクリート袖壁５とを、断面方形の一体化形態とすれば、即ち、上下のバルコニー床スラブＳＢと左右の袖壁とを、開放箱型の剛接合に構築すれば、バルコニー床スラブＳＢ、及びコンクリート袖壁５の先端の変位量が極端に低減出来る。
この場合、バルコニー床スラブＳＢの先端に立設したパラペットＰを、高さｄ１を適切に決定して、両側の袖壁５間の梁機能を付与すれば、バルコニー床スラブＳＢの変位量は更に低減出来、コンクリート袖壁５の薄肉化及び、配筋減が可能となる。
【図面の簡単な説明】
【００７９】
【図１】本発明外壁構造の一部切欠斜視図である。
【図２】本発明の外壁構造の出隅部の横断面図であって、（Ａ）は、袖壁を外壁の延長形態で突出した状態を、（Ｂ）は、袖壁を外壁の前面から突出した状態を示す図である。
【図３】図２（Ａ）の袖壁の縦断面図である。
【図４】本発明の袖壁の断熱支持パネルと、バルコニーの断熱支持パネルとの関係を示す図であって、（Ａ）は、縦断面図、（Ｂ）は、（Ａ）の上部拡大図、（Ｃ）は、（Ａ）のＣ部拡大図である。
【図５】本発明の要部拡大図であって、（Ａ）は、袖壁基端部の横断面図、（Ｂ）は、（Ａ）の矢印Ｂ視図である。
【図６】本発明の複合パネル２と、断熱支持パネル４と、断熱支持パネル３との接合説明である。
【図７】本発明の説明図であって、（Ａ）は、断熱支持パネル３の斜視図、（Ｂ）は、Ｚ筋１の正面図、（Ｃ）は、（Ｂ）の要部拡大図、（Ｄ）は、座板の斜視図である。
【図８】従来例１の説明図であって、（Ａ）は、バルコニー側面図、（Ｂ）は、鉄筋ユニットの側面図、（Ｃ）は、鉄筋ユニットの平面図である。
【図９】従来例の説明図であって、（Ａ）は、従来例２の横断面図、（Ｂ）は従来例３の横断面図、（Ｃ）は、従来例２及び３に共通する基礎部の説明図である。
【符号の説明】
【００８０】
１      Ｚ筋
１Ａ    耐火塗料
１Ｂ    錆止め塗料
１Ｃ    定着板
１Ｄ    Ｚ下端筋
１Ｄ´  水平下辺部
１Ｍ    Ｚトラス筋
１Ｓ    中間傾斜部
１Ｕ    Ｚ上端筋
１Ｕ´  水平上辺部
２      複合パネル
２Ａ    外装下地材（マグネシウムセメント板）
２Ｂ，３Ｂ，４Ｂ    断熱層
２Ｇ，２Ｇ´，３Ｇ，４Ｇ    スリット溝
３      袖壁用断熱支持パネル（断熱支持パネル、支持パネル）
３Ａ    接合板
３Ｅ    断熱耐火材（耐火被覆材）
４      バルコニー用断熱支持パネル（断熱支持パネル、支持パネル）
５      コンクリート袖壁（袖壁、鉄筋コンクリート袖壁）
５ｂ    基端（袖壁基端）
６      接合筋
７      座板
８，８´  壁筋
８Ａ    縦筋
８Ｂ    横筋
８Ｃ，８Ｃ´    幅止め筋
９Ａ    長辺方向上端筋
９Ｂ    長辺方向下端筋
９Ｃ    短辺方向上端筋
９Ｄ    短辺方向下端筋
１０Ｈ´  セパレータ
１１Ａ    ＫＰコン
１１Ｂ    アンカー
１２    十字ジョイント
１２Ｆ  垂直ブレード
１２Ｍ  水平ブレード
【００８１】
Ａ      居住部 
ＡＰ，ＢＰ    突出部（Ｚ筋突出部）
Ｂ      バルコニー
Ｂｂ    基端（バルコニー基端）
ＣＦ    コンクリート躯体
Ｈ１    挿入用孔
Ｈ２，Ｈ２´，Ｈ３  挿入用円孔
Ｊ３    上下接合部
Ｌ１５  応力中心距離
Ｐ      パラペット
ＳＡ    居住部床スラブ
ＳＢ    バルコニー床スラブ
Ｓｆ，Ｓｆ´    コンクリート床表面
Ｗ      コンクリート外壁（外壁）
Ｗｆ    外壁表面
ＺＤ，ＺＵ    固着部
【図１】
2007285086.tif 000003
【図２】
2007285086.tif 000004
【図３】
2007285086.tif 000005
【図４】
2007285086.tif 000006
【図５】
2007285086.tif 000007
【図６】
2007285086.tif 000008
【図７】
2007285086.tif 000009
【図８】
2007285086.tif 000010
【図９】
2007285086.tif 000011